(57)【要約】【課題】撮影姿勢に応じた振れ補正が可能な撮像装置を提供する。【解決手段】ロックスイッチ１３２とリーズスイッチ１３３を含む第１シャッタスイッチ部１３１、およびロックスイッチ１１２とレリーズスイッチ１１３を含む第２シャッタスイッチ部１１１のうちの撮影時に操作されたスイッチ部の操作結果および／または姿勢検出部としての加速度センサ２１１の検出結果に応じて補正特性を変更して、補正用アクチュエータ１２５等に対する手振れ補正制御を行うぶれ補正制御部２０７を有する。【選択図】図５
2006238236.tif 000002
【特許請求の範囲】
【請求項１】
撮影振れを補正可能な撮像装置であって、
所定の撮影方向を有する少なくとも一つの撮像部と、
前記撮像装置の想定される撮影姿勢に応じた位置に配置された複数のシャッタスイッチ部と、
前記撮像による前記撮影振れを補正するための複数の補正特性を有すると共に、少なくとも前記複数のシャッタスイッチ部のうちの撮影に操作されたシャッタスイッチ部の操作結果に応じて前記複数の補正特性から選択した一の補正特性により撮影振れ補正を行う補正部と
を有する撮像装置。
【請求項２】
撮影振れを補正可能な撮像装置であって、
前記第１の筐体および前記第２の筐体の少なくとも一方に設けられ所定の撮影方向を有する少なくとも一つの撮像部と、
前記撮像装置の想定される撮影姿勢に応じた位置に配置された複数のシャッタスイッチ部と、
前記撮像による前記撮影振れを補正するための複数の補正特性を有すると共に、少なくとも前記複数のシャッタスイッチ部のうちの撮影に操作されたシャッタスイッチ部の操作結果に応じて前記複数の補正特性から選択した一の補正特性により撮影振れ補正を行う補正部と
を有する撮像装置。
【請求項３】
第１の筐体と、
前記第１の筐体と連結部により連結され、当該連結部により前記第１の筐体に対して相対位置を可変可能な第２の筐体と、
前記第１の筐体および前記第２の筐体の少なくともいずれか一方に配置され、筐体の撮影時の姿勢を検出する姿勢検出部を、さらに有し、
前記補正部は、さらに前記姿勢検出部の検出結果に応じて前記補正特性を変更する
請求項２に記載の撮像装置。
【発明の詳細な説明】
【技術分野】
【０００１】
本発明は、撮影振れ（手振れ）補正機能を備えた撮像装置に関するものである。
【背景技術】
【０００２】
撮像光学系により被写体の像をＣＣＤ等の撮像素子の受光面に結像させ、電気信号に変換して取り込むカメラは、ビデオカメラやデジタルカメラとして知られている。
【０００３】
ビデオカメラは、被写体の画像を連続的に撮影することから、カメラに手振れがあると、再生画像がゆれて揺れてみずらいものになる。
また、デジタルカメラにおいては、撮像素子の感度の限界により、短いシャッタ時間を実現しにくく、手振れにより撮像された画像に像の流れのようなボケが生じやすい。
そこで、角速度センサ等のぶれ検出センサを搭載し、ぶれ検出センサの検出結果に基づいて手振れ補正を行う手振れ補正機能を備えたカメラが種々提案されている。
【０００４】
特許文献１には、姿勢差検出センサを有するカメラであって、姿勢差検出センサによってカメラの姿勢が縦位置と検出された場合に、評価測光の測光出力を横位置から縦位置に切り換えるカメラが記載されている。
【０００５】
また、振れ補正機能を有する撮像装置として、カメラの姿勢や把持状態に応じて振れの特性が異なるが、カメラの状況や振れの検出結果から、重要視すべき方向と軽視しても良い方向を定めて、それぞれの方向の補正処理に対してＣＰＵの演算割り当て時間の重み付けを変えることで、ＣＰＵの負担を増加させずに、全体的に補正精度を上げるようにした撮像装置が提案されている。
【０００６】
また、撮影者がビューファインダを使用しているか否かを検出し、ビューファインダを使用している場合と使用していない場合とで手振れ補正の補正特性を変更し、変更した補正特性に応じてＣＣＤを駆動する撮像装置が提案されている。
【特許文献１】特開平７−１９９３０７号公報
【発明の開示】
【発明が解決しようとする課題】
【０００７】
ところで、携帯電話機等にデジタルカメラ等の撮像装置を備えたカメラ機能付き携帯端末が普及しているが、これらカメラ機能付携帯端末にも手振れ補正装置が搭載されるようになってきている。
【０００８】
たとえば、昨今の携帯電話機に見られる折り畳み式や、カメラ部が回転するような構造の場合、その機器をユーザが握っている部分と実際のカメラ部が離れていたり、位置関係が異なる。
そして、開状態の場合と閉状態の場合とで端末自体の形態が変わり、これに伴い、撮影者の撮影時の姿勢（カメラの構えた方）が変わる。
基本的には、開状態時には端末自身は縦長な状態でたとえば片手でシャッタボタンを押下して撮影（縦撮影）が行われる。閉状態時にはコンパクトの箱型カメラと同様な形態となることから、基本的に両手で筐体を把持して状態でシャッタボタンを押下して撮影（横撮影）が行われる。
【０００９】
このように、開閉可能な携帯端末等の撮像装置においては、開状態と閉状態とで撮影姿勢が異なることから、撮影状態において手振れの特徴が異なる。
しかしながら、上述した各撮像装置は、手振れの特徴に応じた手振れ補正を行っていないことから、高精度の手振れ補正を行うことができないという不利益がある。
【００１０】
本発明の目的は、撮影姿勢に応じた振れ補正が可能な撮像装置を提供することにある。
【課題を解決するための手段】
【００１１】
本発明の第１の観点は、撮影振れを補正可能な撮像装置であって、所定の撮影方向を有する少なくとも一つの撮像部と、前記撮像装置の想定される撮影姿勢に応じた位置に配置された複数のシャッタスイッチ部と、前記撮像による前記撮影振れを補正するための複数の補正特性を有すると共に、少なくとも前記複数のシャッタスイッチ部のうちの撮影に操作されたシャッタスイッチ部の操作結果に応じて前記複数の補正特性から選択した一の補正特性により撮影振れ補正を行う補正部とを有する。
【００１２】
本発明の第２の観点は、撮影振れを補正可能な撮像装置であって、前記第１の筐体および前記第２の筐体の少なくとも一方に設けられ所定の撮影方向を有する少なくとも一つの撮像部と、前記撮像装置の想定される撮影姿勢に応じた位置に配置された複数のシャッタスイッチ部と、前記撮像による前記撮影振れを補正するための複数の補正特性を有すると共に、少なくとも前記複数のシャッタスイッチ部のうちの撮影に操作されたシャッタスイッチ部の操作結果に応じて前記複数の補正特性から選択した一の補正特性により撮影振れ補正を行う補正部とを有する。
【００１３】
好適には、第１の筐体と、前記第１の筐体と連結部により連結され、当該連結部により前記第１の筐体に対して相対位置を可変可能な第２の筐体と、前記第１の筐体および前記第２の筐体の少なくともいずれか一方に配置され、筐体の撮影時の姿勢を検出する姿勢検出部を、さらに有し、前記補正部は、さらに前記姿勢検出部の検出結果に応じて前記補正特性を変更する。
【発明の効果】
【００１４】
本発明によれば、撮影姿勢に応じて高精度な手振れ補正が可能な撮像装置を提供することができる。
【発明を実施するための最良の形態】
【００１５】
以下、本発明の実施形態を、図面に関連付けて説明する。
【００１６】
図１（Ａ）〜（Ｃ）は本実施形態に係る撮像装置としての携帯電話機の開状態における正面側、側面、裏面側の外観の一例を示す図であり、図２（Ａ）〜（Ｃ）は本実施形態に係る撮像装置としての携帯電話機の閉状態における正面側、側面、裏面側の外観の一例を示す図である。
本実施形態の撮像装置は、図に示すように、開閉可能（たとえば回転式あるいは折り畳み式）な携帯電話機として構成されている。
【００１７】
この携帯電話機１００は、図に示すように、第１の筐体１０１と第２の筐体１０２を連結部１０３により開閉可能に連結した構成を有する。また、本実施形態の連結部１０３には、連結部１０３の作動状態により第１の筐体１０１と第２の筐体１０２が開状態であるか閉状態にあるかを検出する状態検出部が配置されている。
また、本実施形態の携帯電話機１００は、撮影振れ（手振れ）補正機能を有している。
また、携帯電話機１００は、後述する筐体の姿勢を検出するジャイロ等からなる姿勢検出部を内蔵し、また図示しない内蔵アンテナを有する。
【００１８】
第１の筐体１０１および第２の筐体１０２は、いずれも角に丸みを帯びた直方体状をなし、互いのサイズは略同等のサイズに設定されている。
第１の筐体１０１と第２の筐体１０２は、一短辺部の縁部が連結部１０３により連結されている。連結部１０３は、第１の筐体１０１と第２の筐体１０２が連結軸を中心に相対的に回転可能に両筐体を連結している。
【００１９】
第２の筐体１０２の正面側面１０２ａには、図２（Ａ）および図３（Ａ）に示すように、矩形の表示面を有する表示部１０４が配置されている。表示部１０４は、たとえば液晶表示ディスプレイ(Liquid Crystal Display：LCD)パネルや有機ＥＬ(Electroluminescent)パネルなどの表示デバイスによって構成される。
また、第２の筐体１０２の表示部１０４の図中の上縁側および下縁側にスピーカ１０５，１０６が内蔵されている。
また、第１の筐体１０１の図２（Ａ）における下縁側にはマイクロフォン１０７が内蔵されている。
【００２０】
携帯電話機１００は、開状態においては、図２（Ａ）および図２（Ｃ）に示すように、正面もしくは裏面側から見ると、第１の筐体１０１と第２の筐体１０２が互いの長辺部を連結したような図中のおいて縦長な状態となる。第１の筐体１０１と第２の筐体１０２の連結部分と異なる他短辺部は連結部１０３を挟んで平行に向きあう配置となり、最も離れた状態となる。
【００２１】
携帯電話機１００は、閉状態においては、図３（Ａ）〜（Ｃ）に示すように、第１の筐体１０１と第２の筐体１０２の連結部分と異なる他短辺部が対向して最も近づき、第１の筐体１０１と第２の筐体１０２とが重ね合わされた状態となる。
【００２２】
第１の筐体１０１の正面側の表面（第２面）１０１ａには、図２（Ａ）に示すように、操作キー部１１０が配置されている。
操作キー部１１０は、数字・記号、文字等を入力するためのキーや、各種の機能を選択・実行するためのキーを含み、主として開状態において使用される。
すなわち、操作キー部１１０は、図２（Ｃ）に示す第１の筐体１０１の裏面（第１面）１０１ｂと対向する第２面１０１ａ側に配置され、操作キー部１１０のキーには、第２シャッタスイッチ部１１１を構成する縦位置用ロックスイッチ１１２およびレリーズスイッチ１１３としての機能を併せ持つキーを含む。
【００２３】
第１の筐体１０１の裏面（第１面）１０１ｂには、図２（Ｃ）および図２（Ｃ）に示すうに、撮像部１２０の光学系を構成するレンズ１２１およびフラッシュランプ１２２が配置されている。撮像部１３０は、連結部１３が配置された端部側に配置されている。
【００２４】
図２（Ｂ）および図３（Ｂ）に示すように、第１の筐体１０１の一側面１０１ｃにおける連結部１３が配置された端部側に第１シャッタスイッチ部１３１を含む操作キー部１３０が配置されている。
第１シャッタスイッチ部１３１には、横位置用ロックスイッチ１３２およびリレースイッチ１３３を含む。
【００２５】
このように、本実施形態においては、撮像部１３０により被写体を撮影するためのシャッタスイッチ部を複数（本実施形態においては２個）設けているが、これは第１の筐体１０１と第２の筐体１０２とが閉状態とあるか、開状態にあるかで想定される第１および第２の撮影姿勢に応じた位置に配置されている。
【００２６】
具体的には、本実施形態の携帯電話機１００は、開状態の場合と閉状態の場合とで携帯電話機１００（端末）自体の形態が変わり、これに伴い、撮影者の撮影時の姿勢（カメラの構えた方）が変わる。
基本的には、開状態時には、図３に示すように、端末自身は縦長な状態でたとえば片手でシャッタスイッチを押下してたとえば親指で撮影（縦撮影）が行われる。
閉状態時には、図４に示すように、コンパクトの箱型カメラと同様な形態となることから、基本的に両手（あるいは片手）で筐体を把持して状態でシャッタスイッチを人差し指で押下して撮影（横撮影）が行われる。
【００２７】
本実施形態においては、基本的に、図３に示す縦撮影を行う撮影姿勢を第２の撮影姿勢といい、図４に示す横撮影を行う撮影姿勢を第１の撮影姿勢という。
そして、第１シャッタスイッチ部１３１は図４に示すように筐体を横位置とする第１の撮影姿勢を想定して第１の筐体１０１の側面１０１ｃに配置されている。
第２シャッタスイッチ部１１１は、筐体を縦位置とする第２の撮影姿勢を想定して第１の筐体１０１の表面（第２面）に配置されている。
【００２８】
本実施形態においては、第１の撮影姿勢にあるか第２の撮影姿勢にあるかは、加速度センサ等の姿勢検出部（検出センサ）を第１の筐体１０１または／および第２の筐体１０２に配置して検出するように構成される。
【００２９】
このように、撮影姿勢を想定した位置にシャッタスイッチ部が配置され、シャッタスイッチ部の配置に応じて撮影姿勢が異なることから、撮影状態において手振れの特徴が異なる。
そこで、本実施形態においては、基本的に、シャッタスイッチ部の操作結果に応じて、撮影振れ（手振れ）補正時に適用する補正特性を変更して、撮影姿勢に応じて高精度な手振れ補正が可能に構成している。
【００３０】
また、本実施形態においては、さらに高精度な手振れ補正を実現するために、第１シャッタスイッチ部１３１および第２シャッタスイッチ部１１１のうちの撮影時に操作されたシャッタスイッチ部の操作結果および／または姿勢検出部の検出結果に応じて補正特性を変更するように構成する。
【００３１】
以下に、本実施形態の撮像装置としての携帯電話機１００の撮像システムの構成および撮影振れ（手振れ）補正機能について具体的に説明する。
なお、以下の説明では携帯電話機１００の通常の通話や無線通信機能についてはその説明を省略する。
【００３２】
図５は、本実施形態に係る撮像装置としての携帯電話機の撮像システムの基本的な構成を示すブロック図である。
【００３３】
本撮像システム２００は、図１および図２に関連付けて説明した表示部１０４、第２シャッタスイッチ部１１１、撮像部１２０、第１シャッタスイッチ部１３１に加えて、相関二重サンプリング回路（ＣＤＳ）およびオートゲインコントロール回路（ＡＧＣ）２０１、アナログ／デジタル（Ａ／Ｄ）変換回路２０２、画像処理部２０３、メモリ２０４、角速度センサ２０５、フィルタ部２０６、振れ補正制御部２０７、タイミングジェネレータ（ＴＧ）２０８、モータドライバ２０９、システムコントローラ２１０、および姿勢検出部としての加速度センサ（重力（Ｇ）センサ）２１１を有している。
【００３４】
図５の撮像部１２０は、撮像レンズ１２１，集光レンズ１２３、ＣＣＤやＣＭＯＳセンサからなる撮像素子１２４、および撮像素子を撮影振れ補正処理に応じて位置調整可能な補正用アクチュエータ１２５を、主構成要素として有している。
撮像レンズ１２１は、モータドライバ２０９によって駆動される。
撮像素子１２４は、タイミングジェネレータ２０８の駆動パルスによって駆動される。
また、撮影振れ（手振れ）を補正するぶれ補正系は、電子式、光学式と、種々存在するが、たとえば光学式補正手段の場合には、撮影レンズ全体あるいはその一部をＸ，Ｙ面で可動してぶれをうち消す。したがって、ぶれ補正回系は、図５に示すように、駆動用アクチュエータ（ここでは撮像素子１２４を駆動するアクチュエータ）１２５を含んで構成される。
この駆動用アクチュエータ１２５は、ぶれ補正時にぶれ補正制御部２０７により駆動制御される。
【００３５】
ＣＤＳ／ＡＧＣ回路２０１は、撮像素子１２４から転送された画像信号における画素からの信号レベルとリセットレベルの差を減算し、画素ごとの固定ばらつきを除去し、この画像信号をアナログ処理により増幅してＡ／Ｄ変換回路２０２に出力する。
【００３６】
Ａ／Ｄ変換回路２０２は、ＣＤＳ／ＡＧＣ回路２１０で増幅処理を受けた画像信号をデジタル信号に変換し、画像処理部２０３に出力する。
【００３７】
画像処理部２０３は、Ａ／Ｄ変換回路２０２によるデジタル画像信号を受けて、たとえばリニアマトリクス変換、ガンマ変換、エッジ強調、フィルタリング処理等の画像処理を行い、システムコントローラ２１０に出力する。
【００３８】
メモリ２０４は、画像処理部２０３にて処理された画像データがシステムコントローラ２１０により一時的に保存する。また、図示していないが、このメモリ２０４の保存データを取り出し、メモリカード等の記録、ＬＣＤ等の表示部１０４への表示等が、システムコントローラ２１０の制御に従って行われる。
【００３９】
角速度センサ２０５は、たとえばジャイロにより構成され、携帯電話機１００のぶれ量を検出し、検出信号Ｓ２０５をフィルタ部２０６に出力する。
【００４０】
フィルタ部２０６は、角速度センサ２０５の検出信号Ｓ２０５を受けて、システムコントローラ２１０の制御信号に基づいて通過周波数成分の異なるフィルタを通してぶれ補正制御部２０７に供給する。
【００４１】
フィルタ部２０６は、たとえば図５に示すように、ロック用ハイパスフィルタ（ＨＰＦ）２０６１、縦位置レリーズ用ＨＰＦ２０６２、横位置レリーズ用ＨＰＦ２０６３、およびシステムコントローラ２１０の制御信号に基づいて検出信号Ｓ２０５をＨＰＦ２０６１〜２０６３のいずれかに選択的に入力させる切り替えスイッチ２０６４を有する。
【００４２】
ぶれ補正制御部２０７は、ロックスイッチ１３２とリーズスイッチ１３３を含む第１シャッタスイッチ部１３１、およびロックスイッチ１１２とレリーズスイッチ１１３を含む第２シャッタスイッチ部１１１のうちの撮影時に操作されたスイッチ部の操作結果および／または姿勢検出部としての加速度センサ２１１の検出結果に応じて補正特性を変更して、補正用アクチュエータ１２５等に対する手振れ補正制御を行う。
【００４３】
ぶれ補正制御部２０７は、たとえば加速度検出センサ２１１の検出結果が第１の撮影姿勢（横位置）で、第１シャッタスイッチ部１３１のロックスイッチ１３２、レリーズスイッチ１３３が操作されると、第１の補正特性（係数等を含む）を採用してぶれ補正制御を行う。
一方、ぶれ補正制御部２０７は、たとえば加速度検出センサ２１１の検出結果が第２の撮影姿勢（縦位置）で、第２シャッタスイッチ部１１１のロックイッチ１１２、レリーズスイッチ１１３が操作されると、第２の補正特性（係数等を含む）を採用してぶれ補正制御を行う。
補正特性としては、縦位置で撮影した場合の補正特性は、横位置で撮影した場合よりも高周波側がより重視される。具体的には、筐体を片手で握り握った手の親指でレリーズスイッチを押して撮影する縦位置での撮影の場合には、筐体の一方または両方の端部をしっかり保持し撮影する横位置での撮影よりも、手振れにより振動が細かいため、高周波側が重視される。
したがって、縦位置時の補正特性（縦レリーズ用ＨＰＦ）２０６２は、横位置時の補正特性（横レリーズ用ＨＰＦ）２０６３より高周波側が重視された特性（ＨＰＦ）が用いられる。
【００４４】
システムコントローラ２１０は、各種デバイスの制御、状態の管理等を行う。
システムコントローラ２１０は、たとえば画像処理部２０３の処理結果をメモリ２０４に保存し、あるいは、露出制御により撮像素子１２４を駆動するパルスを生成するようにタイミングジェネレータ２０８を制御し、あるいは撮像レンズ１２１を駆動するモータドライバ２０９を制御する。
システムコントローラ２１０は、第１シャッタスイッチ部１３１のロックスイッチ１３２、レリーズスイッチ１３３、第２シャッタスイッチ部１１１のロックスイッチ１１２、レリーズスイッチ１１３の操作結果、および姿勢検出部としての加速度センサ２１１の検出結果を判別し、ぶれ補正制御部２０７に供給する。
【００４５】
姿勢検出部としての加速度センサ２１１は、携帯電話機１００が図３に示すような第２の撮影姿勢（縦位置姿勢）にあるか図４に示すような第１の撮影姿勢（横位置姿勢）にあるかを検出し、システムコントローラ２１０に出力する。
加速度センサ２１１は、たとえば携帯電話機１００が図３および図４に示すＸ、Ｙの直交座標系において、図３に示すように、筐体の長手方向が略Ｘ方向を向いているときを第２の撮影姿勢（縦位置姿勢）にあると検出し、図４に示すように、筐体の長手方向が略Ｙ方向を向いているときを第１の撮影姿勢（横位置姿勢）にあると検出する。
【００４６】
次に、本実施形態におけるぶれ補正制御動作について説明する。
【００４７】
図６は、本実施形態におけるぶれ補正制御部の具体的な制御動作を説明するためのフローチャートである。
この図７の制御動作は、第１シャッタスイッチ部１３１と第２シャッタスイッチ部１１１の両方がある場合であり、さらに姿勢検出部としての加速度センサ２１１の検出結果を含めた制御処理となっている。この加速度センサ２１１の検出結果を制御判断の対象とするかは選択可能である。
【００４８】
まず、たとえば第２シャッタスイッチ部１１１の縦位置ロックスイッチ１１２がオンされたか否かの判別を行う（ＳＴ１）。
ロックスイッチ１１２がオンされると、ロックスイッチがオン時（この場合は縦位置でのロックオン）の手振れ補正制御（通常の手振れ制御）を行う（ＳＴ２）。
ここで、縦位置用レリーズスイッチ１１３がオンされると（ＳＴ３）、姿勢検出部２０５の検出結果が第２の撮影姿勢（縦位置姿勢）であるかの判別を行い（ＳＴ４）、第２の撮影姿勢にあると判別すると、縦位置時の補正特性、すなわち第２の補正特性を選択して（ＳＴ５）、ぶれ補正制御を行う（ＳＴ６）。
【００４９】
ステップＳＴ１において、縦位置ロックスイッチ１１２がオンされていないと判別すると、第１シャッタスイッチ部１３１の横位置ロックスイッチ１３２がオンされたか否かの判別を行う（ＳＴ７）。
ロックスイッチ１３２がオンされると、ロックスイッチがオン時（この場合は横位置でのロックオン）の手振れ補正制御（通常の手振れ制御）を行う（ＳＴ８）。
ここで、横位置用レリーズスイッチ１３３がオンされると（ＳＴ９）、姿勢検出部２０５の検出結果が第１の撮影姿勢（横位置姿勢）であるかの判別を行い（ＳＴ１０）、第１の撮影姿勢にあると判別すると、横位置時の補正特性、すなわち第１の補正特性を選択して（ＳＴ１１）、ぶれ補正制御を行う（ＳＴ６）。
【００５０】
また、ステップＳＴ４において第２の姿勢位置にないと判別すると、ステップＳＴ１１の処理に移行し、第１の補正特性によるぶれ補正制御を行う。
また、ステップＳＴ１０において第１の姿勢位置にないと判別すると、ステップＳＴ５の処理に移行し、第２の補正特性によるぶれ補正制御を行う。
【００５１】
以上説明したように、ロックスイッチ１３２とリーズスイッチ１３３を含む第１シャッタスイッチ部１３１、およびロックスイッチ１１２とレリーズスイッチ１１３を含む第２シャッタスイッチ部１１１のうちの撮影時に操作されたスイッチ部の操作結果および／または姿勢検出部としての加速度センサ２１１の検出結果に応じて補正特性を変更して、補正用アクチュエータ１２５等に対する手振れ補正制御を行うぶれ補正制御部２０７を有することから、以下の効果を得ることができる。
【００５２】
第１シャッタスイッチ１３１と第２シャッタスイッチ部１１１２の操作結果に応じて異なる補正特性を適用することができ、より高精度なぶれ補正を実現することができる。
また、撮影姿勢を想定して配置されたシャッタスイッチの位置と更に撮影姿勢の検出結果とを組み合わせて最適な補正特性を選択することができ、撮影振れの特徴に応じた精度の高い補正制御を行うことができる利点がある。
したがって、想定された姿勢（自然な姿勢）ではなく無理な姿勢、たとえばカメラ付けイ携帯電話機を縦位置ではなく横位置に寝かせて撮影する場合等にも、最適は補正特性を選択することでき、撮影姿勢に応じたぶれ補正が可能なとなる利点がある。
【００５３】
図７は、本実施形態に係る撮像装置としての携帯電話機の撮像システムの他の構成例を示すブロック図である。
【００５４】
図７の撮像システム２００Ａが図５の撮像システム２００と異なる点は、ぶれ補正時にぶれ補正制御部２０７により駆動制御される駆動用アクチュエータ１２５Ａが補正制御により位置町制する対象が撮像素子１２４の代わりにレンズ１２３としたことにある。
【００５５】
その他の構成は図５の構成と同様であり、上述した効果と同様の効果を得ることができる。
【００５６】
以上のように、本実施形態によれば、所定の撮影方向を有する少なくとも一つの撮像部と、撮像装置の想定される撮影姿勢に応じた位置に配置された複数のシャッタスイッチ部と、撮像による撮影振れを補正するための複数の補正特性を有すると共に、少なくとも複数のシャッタスイッチ部のうちの撮影に操作されたシャッタスイッチ部の操作結果に応じて複数の補正特性から選択した一の補正特性により撮影振れ補正を行う補正部とを有することから、どのシャッタスイッチを押したかで撮影姿勢を想定し、この想定した撮影姿勢に適した補正特性を容易に適用可能である。
【００５７】
また、第１の筐体および前記第２の筐体の少なくとも一方に設けられ所定の撮影方向を有する少なくとも一つの撮像部と、想定される撮影姿勢に応じた位置に配置された複数のシャッタスイッチ部と、撮像による前記撮影振れを補正するための複数の補正特性を有すると共に、少なくとも複数のシャッタスイッチ部のうちの撮影に操作されたシャッタスイッチ部の操作結果に応じて複数の補正特性から選択した一の補正特性により撮影振れ補正を行う補正部とを有することから、どのシャッタスイッチを押したかで撮影姿勢を想定し、この想定した撮影姿勢に適した補正特性を容易に適用可能である。
また、第１の筐体と、第１の筐体と連結部により連結され、当該連結部により第１の筐体に対して相対位置を可変可能な第２の筐体と、第１の筐体および第２の筐体の少なくともいずれか一方に配置され、筐体の撮影時の姿勢を検出する姿勢検出部を、さらに有し、補正部は、さらに姿勢検出部の検出結果に応じて補正特性を変更することから、さらに高精度な判定を行うことができる。
【図面の簡単な説明】
【００５８】
【図１】本実施形態に係る撮像装置としての携帯電話機の開状態における正面側、側面、裏面側の外観の一例を示す図である。
【図２】本実施形態に係る撮像装置としての携帯電話機の閉状態における正面側、側面、裏面側の外観の一例を示す図である。
【図３】本実施形態の第１の撮影姿勢を説明するための図である。
【図４】本実施形態の第２の撮影姿勢を説明するための図である。
【図５】本実施形態に係る撮像装置としての携帯電話機の撮像システムの構成例を示すブロック図である。
【図６】本実施形態におけるぶれ補正制御部の具体的な制御動作を説明するためのフローチャートである。
【図７】本実施形態に係る撮像装置としての携帯電話機の撮像システムの他の構成例を示すブロック図である。
【符号の説明】
【００５９】
１００…携帯電話機、１０１…第１の筐体、１０２…第２の筐体、１０３…連結部、１０４…表示部、１１１…第２シャッタスイッチ部、１１２…横位置ロックスイッチ、１１３…横位置レリーズスイッチ、１２０，１２０Ａ…撮像部、１２１…撮像レンズ、１２２…フラッシュランプ、１２３…集光レンズ、１２４…撮像素子、１２５，１２５Ａ…補正用アクチュエータ、１３１…第１シャッタスイッチ部、１３２…横位置ロックスイッチ、１３３…横位置レリーズスイッチ、２００，２００Ａ…撮像システム、２０１…相関二重サンプリング回路（ＣＤＳ）およびオートゲインコントロール回路（ＡＧＣ）、２０２…アナログ／デジタル（Ａ／Ｄ）変換回路、２０３…画像処理部、２０４…メモリ、２０５…角速度センサ、姿勢検出部、２０６…フィルタ部、２０７…振れ補正制御部、２０８…タイミングジェネレータ（ＴＧ）、２０９…モータドライバ、２１０…システムコントローラ、２１１…加速度センサ。
【図１】
2006238236.tif 000003
【図２】
2006238236.tif 000004
【図３】
2006238236.tif 000005
【図４】
2006238236.tif 000006
【図５】
2006238236.tif 000007
【図６】
2006238236.tif 000008
【図７】
2006238236.tif 000009